(57)【要約】【課題】建具枠および戸体間の隙間を塞ぐことができ、遮炎性能を向上できる建具を提供すること。【解決手段】建具であるドア１は、上枠、下枠、縦枠を備えるドア枠２と、ドア枠２に対して開閉可能に取り付けられた戸体である扉５とを備える。縦枠には、扉５の側面に当接可能なタイト材３６、４６が設けられ、扉５の側面には、タイト材３６、４６の当接位置よりも屋外側に設けられた屋外側加熱発泡材５６５が設けられる。扉５の側面または縦枠の少なくとも一方には、タイト材３６，４６よりも屋内側に設けられた屋内側加熱発泡材３４、４４、５６６が設けられている。【選択図】図５
2018009333.tif 000002
【特許請求の範囲】
【請求項１】
上枠、下枠および左右の縦枠を備える建具枠と、
前記建具枠に対して開閉可能に取り付けられる戸体とを備え、
前記左右の縦枠には、前記戸体の側面に当接可能なタイト材が設けられ、
前記戸体の側面には、前記タイト材の当接位置よりも屋外側に設けられた屋外側加熱発泡材が設けられ、
前記戸体の側面または前記縦枠の少なくとも一方には、前記タイト材よりも屋内側に設けられた屋内側加熱発泡材が設けられていることを特徴とする建具。
【請求項２】
請求項１に記載の建具において、
前記戸体は、
上骨、下骨および左右の縦骨を枠組みして構成された枠体と、
前記枠体の屋外面に配置された金属製の屋外面材と、
前記枠体の屋内面に配置された金属製の屋内面材と、
前記屋外面材および前記屋内面材間に配置された断熱芯材と、を備え、
前記左右の縦骨には、前記縦枠に対向する合成樹脂製の樹脂エッジ材がそれぞれ取り付けられ、
前記樹脂エッジ材は、前記タイト材の当接位置の屋外側および屋内側に跨がって配置され、
前記屋外側加熱発泡材は、前記樹脂エッジ材に設けられ、
前記屋内側加熱発泡材は、前記樹脂エッジ材および前記縦枠に設けられていることを特徴とする建具。
【請求項３】
請求項１に記載の建具において、
前記戸体は、
上骨、下骨および左右の縦骨を枠組みして構成された枠体と、
前記枠体の屋外面に配置された金属製の屋外面材と、
前記枠体の屋内面に配置された金属製の屋内面材と、
前記屋外面材および前記屋内面材間に配置された断熱芯材と、を備え、
前記左右の縦骨には、前記縦枠に対向する合成樹脂製の樹脂エッジ材がそれぞれ取り付けられ、
前記樹脂エッジ材は、前記タイト材の当接位置の屋外側および屋内側に跨がって配置され、
前記屋外側加熱発泡材は、前記樹脂エッジ材に設けられ、
前記屋内側加熱発泡材は、前記縦枠に設けられていることを特徴とする建具。
【請求項４】
請求項２または請求項３に記載の建具において、
前記樹脂エッジ材に設けられる加熱発泡材は、前記樹脂エッジ材の裏面に設けられていることを特徴とする建具。
【発明の詳細な説明】
【技術分野】
【０００１】
本発明は、建物の玄関ドアや勝手口ドアなどに用いられる建具に関する。
【背景技術】
【０００２】
従来より、勝手口ドア等の建具において、上枠、下枠、左右の縦枠の各枠を、アルミニウム合金の押出形材で形成し、前記各枠に、戸の室内側見付面に当接する不燃性タイト材と、熱膨張耐火材とを設けた建具が知られている（特許文献１参照）。
前記熱膨張耐火材は、前記枠の見込面に接着され、火災時に発泡して不燃性タイト材に当接して不燃性タイト材に生じた亀裂を塞ぐことで、不燃性タイト材の亀裂部分を通して火炎や煙などが室内に侵入することを防止している。
【０００３】
前記枠の見込面に設けた熱膨張耐火材は、不燃性タイト材に生じた亀裂を塞ぐためのものであり、枠および戸間の隙間を塞ぐものではなかった。
このため、特許文献１では、戸の上面、下面および側面に熱膨張耐火材を接着し、この熱膨張耐火材を発泡・膨張させて、枠と戸との間を塞いでいた。
【先行技術文献】
【特許文献】
【０００４】
【特許文献１】特開２０１３−１２７１６９号公報
【発明の概要】
【発明が解決しようとする課題】
【０００５】
ところで、枠および戸間を塞ぐ熱膨張耐火材は、膨張後には脆くなり、力が加わると変形したり一部が脱落などするため、遮炎性能が低下するという課題がある。
【０００６】
本発明の目的は、建具枠および戸体間の隙間を塞ぐことができ、遮炎性能も向上できる建具を提供することにある。
【課題を解決するための手段】
【０００７】
本発明の建具枠は、上枠、下枠および左右の縦枠を備える建具枠と、前記建具枠に対して開閉可能に取り付けられる戸体とを備え、前記左右の縦枠には、前記戸体の側面に当接可能なタイト材が設けられ、前記戸体の側面には、前記タイト材の当接位置よりも屋外側に設けられた屋外側加熱発泡材が設けられ、前記戸体の側面または前記縦枠の少なくとも一方には、前記タイト材よりも屋内側に設けられた屋内側加熱発泡材が設けられていることを特徴とする。
【０００８】
本発明によれば、戸体の側面において、タイト材の当接位置よりも屋外側に屋外側加熱発泡材を設け、戸体の側面または縦枠の少なくとも一方において、前記タイト材よりも屋内側に設けられた屋内側加熱発泡材を設けたので、火災時に屋外側加熱発泡材および屋内側加熱発泡材が発泡すると、建具枠および戸体間において、前記タイト材の屋外側は屋外側加熱発泡材で充填でき、屋内側は屋内側加熱発泡材で充填できる。このため、建具枠および戸体間を、屋外側加熱発泡材および屋内側加熱発泡材間にタイト材が挟まれた状態で充填できる。したがって、加熱発泡材のみで建具枠および戸体間を塞ぐ場合に比べて、遮炎性能の低下を防止できる。すなわち、加熱発泡材に加えてタイト材が配置されて加熱発泡材をバックアップできるため、屋外側加熱発泡材や屋内側加熱発泡材が変形したり一部が脱落しても、タイト材が前記力を受けたり、タイト材が建具枠および戸体間を確実に塞ぐため、遮炎性能も向上できる。また、タイト材が耐燃性でない場合でも、屋外側加熱発泡材および屋内側加熱発泡材でタイト材を覆って保護することができ、耐燃性でないタイト材の焼失を低減する、もしくは、焼失する時間を遅延させることができ、タイト材および各加熱発泡材で建具枠および戸体間を塞いで遮縁性能を担保することができる。
【０００９】
本発明の建具において、前記戸体は、上骨、下骨および左右の縦骨を枠組みして構成された枠体と、前記枠体の屋外面に配置された金属製の屋外面材と、前記枠体の屋内面に配置された金属製の屋内面材と、前記屋外面材および前記屋内面材間に配置された断熱芯材と、を備え、前記左右の縦骨には、前記縦枠に対向する合成樹脂製の樹脂エッジ材がそれぞれ取り付けられ、前記樹脂エッジ材は、前記タイト材の当接位置の屋外側および屋内側に跨がって配置され、前記屋外側加熱発泡材は、前記樹脂エッジ材に設けられ、前記屋内側加熱発泡材は、前記樹脂エッジ材および前記縦枠に設けられていることが好ましい。
【００１０】
建具において、戸体の上骨および下骨は、戸体の上面および下面に設けられ、戸板の開閉時などに利用者の目に触れることもなく、意匠面に影響しない。
一方で、戸体の縦骨は、戸体の側面に露出するため、戸体の開閉時に利用者が視認しやすい。この縦骨部分に樹脂エッジ材を取り付けているので、断熱性を向上するために縦骨として樹脂骨材を用いた場合でも、樹脂骨材を樹脂エッジ材で被覆でき、戸体の意匠性を向上できる。
また、樹脂エッジ材は、タイト材が当接するため、樹脂エッジ材に設けられた屋外側加熱発泡材および屋内側加熱発泡材は、火災時にはタイト材の屋外側および屋内側で迅速に発泡してタイト材の屋外面および屋内面を覆うことができる。さらに、樹脂エッジ材は、戸体の構造体ではないため、構造や形状の自由度が高く、加熱発泡材の配置位置の制約も少ない。このため、タイト材の屋外面に沿ってスムーズに発泡できる位置に屋外側加熱発泡材を配置でき、タイト材の屋内面に沿ってスムーズに発泡できる位置に屋内側加熱発泡材を配置できる。
さらに、縦枠にも屋内側加熱発泡材が配置されており、縦枠側の加熱発泡材は、戸体の側面に向かって発泡するため、樹脂エッジ材の屋内側加熱発泡材を介してタイト材のリップ部を戸体の側面に押し付けることができる。このため、屋外側加熱発泡材および屋内側加熱発泡材に挟まれたタップ材で、建具枠および戸体間を確実に塞ぐことができ、遮炎性能をより向上できる。
【００１１】
本発明の建具において、前記戸体は、上骨、下骨および左右の縦骨を枠組みして構成された枠体と、前記枠体の屋外面に配置された金属製の屋外面材と、前記枠体の屋内面に配置された金属製の屋内面材と、前記屋外面材および前記屋内面材間に配置された断熱芯材と、を備え、前記左右の縦骨には、前記縦枠に対向する合成樹脂製の樹脂エッジ材がそれぞれ取り付けられ、前記樹脂エッジ材は、前記タイト材の当接位置の屋外側および屋内側に跨がって配置され、前記屋外側加熱発泡材は、前記樹脂エッジ材に設けられ、前記屋内側加熱発泡材は、前記縦枠に設けられていることが好ましい。
【００１２】
本発明においても、戸体の縦骨部分に樹脂エッジ材を取り付けているので、断熱性を向上するために縦骨として樹脂骨材を用いた場合でも、樹脂骨材を樹脂エッジ材で被覆でき、戸体の意匠性を向上できる。
また、樹脂エッジ材に屋外側加熱発泡材を設けているので、タイト材の屋外側で迅速に発泡してタイト材の屋外面を覆うことができる。さらに、タイト材の屋外面に沿ってスムーズに発泡できる位置に屋外側加熱発泡材を配置できる。
また、縦枠に屋外側加熱発泡材を設けたので、屋外側加熱発泡材が戸体の側面に向かって発泡した際に、タイト材のリップ部を直接押圧して戸体の側面に押し付けることができる。このため、樹脂エッジ材に屋内側加熱発泡材を設ける必要が無く、コストを低減できる。
【００１３】
本発明の建具において、前記樹脂エッジ材に設けられる加熱発泡材は、前記樹脂エッジ材の裏面に設けられていることが好ましい。
【００１４】
前記樹脂エッジ材に設けられる屋内側加熱発泡材や屋外側加熱発泡材を、前記樹脂エッジ材の裏面に設けているので、樹脂エッジ材の表面に加熱発泡材が露出しないため、意匠性を向上できる。
さらに、樹脂エッジ材の裏面に加熱発泡材が設けられるため、戸体の開閉時に、タイト材に加熱発泡材が接触することがない。このため、加熱発泡材が摩耗することがなく、品質を維持できる。
【発明の効果】
【００１５】
本発明によれば、建具において、建具枠および戸体間の隙間を塞ぐことができ、遮炎性能も向上できる。
【図面の簡単な説明】
【００１６】
【図１】本発明の第１実施形態に係るドアの外観姿図。
【図２】前記ドアの縦断面図。
【図３】前記ドアの横断面図。
【図４】前記ドアの扉の上骨および下骨を拡大して示す縦断面図。
【図５】前記扉の縦骨を拡大して示す横断面図。
【図６】前記扉の戸先側の縦骨を示す分解斜視図。
【図７】前記扉の戸先側の縦骨を示す分解斜視図。
【図８】前記扉の戸先側の側面を示す側面図。
【図９】前記ドアの上枠および上骨部分の加熱発泡材の発泡状態を示す図。
【図１０】前記ドアの戸先側の縦枠および縦骨部分の加熱発泡材の発泡状態を示す図。
【図１１】本発明の第２実施形態のドアの縦断面図。
【図１２】本発明の第２実施形態のドアの横断面図。
【図１３】本発明の第３実施形態のドアの縦断面図。
【図１４】本発明の第３実施形態のドアの横断面図。
【図１５】本発明の第４実施形態のドアの縦断面図。
【図１６】本発明の第４実施形態のドアの横断面図。
【図１７】本発明の第５実施形態のドアの横断面図。
【図１８】第５実施形態のドアの戸先側の縦枠および縦骨部分の加熱発泡材の発泡状態を示す図。
【図１９】本発明の変形例のドアの縦断面図。
【図２０】前記変形例のドアの横断面図。
【発明を実施するための形態】
【００１７】
［第１実施形態］
以下、本発明の第１実施形態を図面に基づいて説明する。
図１〜３に示すように、本発明の建具である玄関ドア１（以下、ドア１と略す）は、いわゆる片開きドアであり、建物の外壁開口部に固定される建具枠であるドア枠２と、このドア枠２に開閉可能に支持される戸体である扉５とを備えて構成されている。
【００１８】
［ドア枠の構成］
ドア枠２は、上枠１０、下枠２０および左右の縦枠３０，４０を有する。なお、図１の右側に配置される縦枠３０が吊元側とされてピボットヒンジ４が取り付けられ、図１の左側に配置される縦枠４０が戸先側とされている。また、以下の説明において、ドア枠２（上枠１０、下枠２０、縦枠３０、４０）や扉５の見込み方向とは屋内外方向（奥行き方向）を意味し、上枠１０、下枠２０の見付け方向とは上下方向を意味し、縦枠３０、４０の見付け方向とはドア枠２を正面（室外面や室内面）から見た際の左右方向を意味する。
【００１９】
［上枠の構成］
上枠１０は、図２に示すように、屋外部材１１と、屋内部材１２と、カバー部材１３と、メインタイト材１５と、水密材１８とを備える。なお、図２においては、メインタイト材１５以外の樹脂材の断面をハッチングで示している。一方、金属材の断面に関しては、図を見やすくするためにハッチングを省略している。
屋外部材１１は、中空枠形状とされたアルミ（金属）製の押出形材であり、躯体１００の屋外面に取り付けられる取付片部１１１と、躯体１００の下面つまり見込み方向に沿った見込み面に当接する当接片部１１２と、屋外部材１１の下面（ドア枠２の見込み方向に沿った見込み面）を構成する下面部１１３と、当接片部１１２および下面部１１３を連結する屋内面部１１４とを備えている。
屋外部材１１は、取付片部１１１にねじ込まれたネジ５１１と、下面部１１３に形成された図示略の孔から挿入されて、当接片部１１２にねじ込まれたネジ５１２とで躯体１００に固定されている。下面部１１３に形成された孔は、図示略のキャップが装着されて塞がれている。
【００２０】
上枠１０の屋内部材１２は、金属に比べて熱伝導率の低い樹脂製の押出形材、例えば、ＥＰＤＭ（エチレンプロピレンゴム）やＰＶＣ（ポリ塩化ビニル）などの押出形材で構成されている。
屋内部材１２は、屋外部材１１の当接片部１１２および下面部１１３間に係合され、屋内面部１１４にネジ５１３で取り付けられている。
これにより、上枠１０は、主にアルミ押出形材の屋外部材１１と、樹脂形材の屋内部材１２とを組み合わせた樹脂複合枠で構成され、屋外部材１１および屋内部材１２によって上枠１０の枠本体が構成される。
【００２１】
屋内部材１２は、略矩形枠状に形成された中空部１２１と、中空部１２１から下方に突出して設けられた保持片部１２２と、中空部１２１の室内側に設けられた凹溝部１２３とを備える。
中空部１２１の内部空間には、屋内部材１２を構成する合成樹脂材と同時押出成型（共押出成型）された加熱発泡材１４が設けられている。加熱発泡材１４は、熱膨張性黒鉛などを含んで構成され、火災時などに温度が所定温度（例えば２００度）以上になると、発泡して約２０〜４０倍程度に膨張し、遮炎材として機能するものである。以下で説明する他の加熱発泡材も同じ材質で構成されている。
加熱発泡材１４は、中空部１２１において屋内部材１２の下面（見込み面）に沿って設けられた下面部１２１Ａの上面（下面部１２１Ａの内部空間に面する裏面）に設けられている。また、下面部１２１Ａの屋外側端部には、サブタイト材として機能するヒレ部１２１Ｂが斜め下方に向かって突設されている。なお、ヒレ部１２１Ｂは、屋内部材１２と同様のＥＰＤＭやＰＶＣ等の一般的な合成樹脂材を用いることもでき、不燃性や難燃性の合成樹脂材を用いることもでき、サブタイト材として求められる性能を考慮した材質で形成できる。したがって、屋内部材１２は、中空部１２１、保持片部１２２、凹溝部１２３を構成する合成樹脂材と、加熱発泡材１４と、ヒレ部１２１Ｂを構成する合成樹脂材との３種類の材料を同時押出成型することで製造された共押出成形品（一体成形品）である。
【００２２】
保持片部１２２の室外面には、メインタイト材１５が装着される溝が形成されている。
凹溝部１２３は、中空部１２１の上端部から屋内側に延出されて凹溝の底面を区画する底面部１２３Ａと、底面部１２３Ａの屋内端から下方に延出された屋内面部１２３Ｂとを備えて構成されている。したがって、中空部１２１の屋内側には、中空部１２１および凹溝部１２３で区画されて下面側が開口された凹溝が形成されている。この凹溝には、ネジ５１４が挿入され、底面部１２３Ａを躯体１００にネジ止めしている。
屋内部材１２の凹溝部１２３内には、ビスホールを有する連結部材１２５が底面部１２３Ａにネジ止めされている。
【００２３】
カバー部材１３は、アルミ押出形材であり、屋内部材１２の屋内露出面と、凹溝部１２３の開口とを被覆している。屋内面部１２３Ｂには、前記ネジ５１３をねじ込むための孔が形成されているが、この孔はカバー部材１３で被覆されるため、上枠１０の内観意匠が向上する。
メインタイト材１５は、屋内部材１２と同様のＥＰＤＭやＰＶＣ等の一般的な合成樹脂材で構成されている。メインタイト材１５は、扉５を閉めた際に扉５の屋内面に当接する。
水密材１８は、屋外部材１１の下面部１１３の屋外側端部の溝に取り付けられ、屋外部材１１および扉５間の隙間への雨水の吹き込みを低減する。
【００２４】
［下枠の構成］
下枠２０は、図２に示すように、枠本体２１と、ゴム製の沓摺部２３と、メインタイト材２５とを備える。下枠２０は、モルタル納まりの熱の出入りを考慮し、上枠１０、縦枠３０，４０のような樹脂複合枠ではなく、形材断熱枠で構成されている。すなわち、枠本体２１は、アルミ押出形材からなる屋外部材２１１および屋内部材２１２を、ウレタン樹脂等の断熱部材２１３で連結したアルミ断熱形材で構成されている。
枠本体２１の表面には、擦り傷対策用のステンレスカバー２７がビス止めされている。
メインタイト材２５は、メインタイト材１５と同一の部品であり、扉５を閉めた際に扉５の屋内面に当接する。したがって、下枠２０の枠本体２１の屋内露出面は、沓摺部２３およびメインタイト材２５で被覆されている。
【００２５】
［吊元側の縦枠の構成］
吊元側の縦枠３０は、図３に示すように、アルミ押出形材からなる屋外部材３１と、樹脂形材からなる屋内部材３２と、アルミ押出形材からなるカバー部材３３と、扉５の屋内面に当接可能に設けられたメインタイト材３５と、扉５の側面（見込み面）に当接可能に設けられたサブタイト材３６とを備える。なお、図３においても、メインタイト材３５、４５以外の樹脂材の断面をハッチングで示している。一方、金属材の断面に関しては、図を見やすくするためにハッチングを省略している。
【００２６】
屋外部材３１は、屋外部材１１と同様に中空枠形状とされ、躯体１００の屋外面に取り付けられる取付片部３１１と、躯体１００の側面に当接する当接片部３１２と、屋外部材３１の側面（ドア枠２の見込み方向に沿った見込み面）を構成する側面部３１３と、当接片部３１２および側面部３１３を連結する屋内面部３１４とを備えている。取付片部３１１および当接片部３１２は、ネジ５３１、ネジ５３２で躯体１００に固定されている。
縦枠３０の上端部および下端部における屋外部材３１の内部には、ピボットヒンジ４を取り付けるための補強板材３７，３８がネジ止めされている。
屋内部材３２は、屋内部材１２と同様に、樹脂製の押出形材で構成され、屋外部材３１に係合され、さらにネジ５３３で固定されている。したがって、縦枠３０も、主にアルミ押出形材の屋外部材３１と、樹脂形材の屋内部材３２とを組み合わせた樹脂複合枠で構成され、屋外部材３１および屋内部材３２によって縦枠３０の枠本体が構成される。
【００２７】
屋内部材３２は、略矩形枠状に形成された中空部３２１と、中空部３２１から扉側（見付け方向）に突出された保持片部３２２と、中空部３２１の室内側に形成された第二中空部３２３とを備える。
中空部３２１は、扉５に対向する側面（見込み面）に沿って設けられた側面部３２１Ａを備える。側面部３２１Ａの裏面側、つまり中空部３２１の内部空間側には、加熱発泡材３４が同時押出成型で設けられている。したがって、屋内部材３２は、合成樹脂材および加熱発泡材３４との２種類の材料を同時押出成型することで製造された共押出成形品（一体成形品）である。
【００２８】
保持片部３２２の室外面には、メインタイト材３５が装着される溝が形成されている。
第二中空部３２３は、ネジ５３４によって躯体１００に固定されている。また、第二中空部３２３には、上枠１０の連結部材１２５や、屋内部材２１２が当接し、これらに形成されたビスホールにねじ込まれるネジ（図示略）が設けられている。
【００２９】
カバー部材３３は、アルミ押出形材であり、屋内部材３２の屋内露出面を被覆している。
メインタイト材３５は、メインタイト材１５と同じ材質の合成樹脂材であり、扉５を閉めた際に扉５の屋内面に当接する。
サブタイト材３６は、ＴＰＯ（サーモポリオレフィン）等の建築用ガスケットとして利用される一般的な合成樹脂材であり、屋外部材３１の屋内側端部の溝部分に嵌合され、扉５を閉めた際に扉５の側面（見込み方向に沿った見込み面）に当接する。
【００３０】
［戸先側の縦枠の構成］
戸先側の縦枠４０は、縦枠３０と同一構成であり、アルミ押出形材からなる屋外部材４１と、樹脂形材からなる屋内部材４２と、アルミ押出形材からなるカバー部材４３と、扉５の屋内面（見付け面）に当接可能なメインタイト材４５と、扉５の側面（見込み面）に当接可能なサブタイト材４６とを備える。
【００３１】
屋外部材４１は、屋外部材３１と同じく取付片部４１１、当接片部４１２、側面部４１３、屋内面部４１４を備えている。取付片部４１１および当接片部４１２は、ネジ５４１、ネジ５４２で躯体１００に固定されている。
屋外部材４１には、図示を簡略するが、扉５に設けられた鎌錠やラッチボルトを受ける鎌錠受やラッチ受４７が取り付けられている。
屋内部材４２は、屋内部材３２と同じく、屋外部材４１に係合され、さらにネジ５４３で固定されている。したがって、縦枠４０も、主にアルミ押出形材の屋外部材４１と、樹脂形材の屋内部材４２とを組み合わせた樹脂複合枠で構成され、屋外部材４１および屋内部材４２によって縦枠４０の枠本体が構成される。
【００３２】
屋内部材４２は、屋内部材３２と同一構成であり、中空部４２１と、保持片部４２２と、第二中空部４２３とを備える。中空部４２１の側面部４２１Ａの裏面側には、加熱発泡材４４が同時押出成型によって設けられている。
【００３３】
保持片部４２２の室外面には、メインタイト材４５が装着される溝が形成されている。
第二中空部４２３は、ネジ５４４によって躯体１００に固定されている。第二中空部４２３には、上枠１０の連結部材１２５や屋内部材２１２にねじ込まれるネジ（図示略）が設けられている。
【００３４】
カバー部材４３はアルミ押出形材であり、屋内部材４２の屋内露出面を被覆している。
メインタイト材４５は、メインタイト材３５と同一種類の合成樹脂製であり、扉５を閉めた際に扉５の屋内面に当接する。
サブタイト材４６は、サブタイト材３６と同一種類の合成樹脂材で構成され、屋外部材４１の屋内側端部の溝部分に嵌合され、扉５を閉めた際に扉５の側面（見込み面）に当接する。したがって、本実施形態では、サブタイト材３６、４６が、扉５の側面に当接可能なタイト材である。
【００３５】
以上に説明したように、上枠１０および下枠２０は、縦枠３０、４０の上端部間および下端部間に配置され、ネジ止めされている。すなわち、上枠１０、下枠２０の左右の両端面は、縦枠３０、４０の屋外部材３１、４１の側面部３１３、４１３と、屋内部材３２、４２の側面部３２１Ａ、４２１Ａと、第二中空部３２３、４２３とに当接し、これらに形成された孔から上枠１０、下枠２０や、連結部材１２５に形成されたビスホールに図示略のネジをねじ込むことで、上枠１０、下枠２０、縦枠３０、４０が枠組みされている。
【００３６】
［扉の構成］
扉５は、図４，５にも示すように、枠体５０と、枠体５０の屋外側に固定された表面材である屋外面材５１と、枠体５０の屋内側に固定された表面材である屋内面材５２と、屋外面材５１と屋内面材５２との間に設けられた断熱芯材５３とを備えている。したがって、扉５は、骨材に鋼板を貼って平らに仕上げたフラッシュドアタイプである。また、本実施形態では、採光窓が設けられていない扉５を用いているが、扉に開口を設け、開口に採光用パネルを組み込んだ扉を用いてもよい。また、扉５の戸先側には、操作ハンドル３が設けられている。
【００３７】
屋外面材５１および屋内面材５２は、鋼板で構成されている。屋外面材５１は、断熱芯材５３の屋外面に沿って配置され、屋内面材５２は断熱芯材５３の屋内面に沿って配置されている。
断熱芯材５３は、ＥＰＳ（発泡ビーズ法ポリスチレン）製の断熱材で構成されている。なお、断熱芯材５３は、フェノール樹脂系の断熱材を用いてもよいし、ハニカム材（水酸化アルミハニカム、セラミックハニカム、ペーパーハニカム）、フォーム材（イソシアヌレートフォーム、ウレタンフォーム、フェノール樹脂フォーム）等の断熱材が使用されてもよい。
【００３８】
［枠体の構成］
枠体５０は、上骨６０と、下骨７０と、吊元側および戸先側の縦骨８０、９０とを、矩形状に組んで構成される。上下の上骨６０および下骨７０は同一の構成であるため、同一符号を付して説明する。縦骨８０および縦骨９０も同一の構成であるため、同一符号を付して説明する。なお、縦骨８０、９０は、後述する金属エッジ材５５、樹脂エッジ材５６が取付可能な構造とされている点が上骨６０、下骨７０と相違するが、基本的な構成は類似する。また、以下の説明において、枠体５０（上骨６０、下骨７０、縦骨８０、９０）の見込み方向とは屋内外方向（奥行き方向）を意味し、上骨６０、下骨７０の見付け方向とは上下方向を意味し、縦骨８０、９０の見付け方向とは枠体５０を正面（室外面や室内面）から見た際の左右方向を意味する。
【００３９】
［上骨および下骨の構成］
上骨６０、下骨７０は、図４に示すように、樹脂骨材６１０と、樹脂骨材６１０の内周側（断熱芯材５３側）に配置された金属骨材６２０とを備えている。
樹脂骨材６１０は、断面略Ｅ字状に形成され、扉５の見込み方向に沿って形成された連結片部６１１と、連結片部６１１の屋外側から見付け方向（上骨６０では下方向、下骨７０では上方向）に延長された屋外片部６１２と、連結片部６１１の屋内側から前記見付け方向に延長された屋内片部６１３と、屋外片部６１２、屋内片部６１３間において連結片部６１１から扉５の面内方向に突出する区画片部６１４とを備えている。
樹脂骨材６１０の屋外片部６１２は屋外面材５１に沿って配置され、屋内片部６１３は屋内面材５２に沿って配置されている。ここで、屋外片部６１２、屋内片部６１３が、屋外面材５１、屋内面材５２に沿って配置されているとは、屋外片部６１２、屋内片部６１３の表面に屋外面材５１、屋内面材５２が密着されている場合だけでなく、屋外片部６１２、屋内片部６１３の表面に、屋外面材５１、屋内面材５２が両面テープや接着剤を介して貼られており、屋外片部６１２、屋内片部６１３と屋外面材５１、屋内面材５２とが密着せずに隙間を空けて配置されている場合も含む。
区画片部６１４は、連結片部６１１から面内方向、具体的には、断熱芯材５３側（上骨６０では下方向、下骨７０では上方向であり、扉５の中心側に向かう方向）に突出して設けられており、屋外片部６１２および屋内片部６１３の間に設けられ、屋外片部６１２や屋内片部６１３とほぼ平行に形成されている。
区画片部６１４は、連結片部６１１の見込み方向の中央位置よりも屋内側にずれた位置に設けられ、屋外片部６１２および区画片部６１４間の寸法は、屋内片部６１３および区画片部６１４間の寸法よりも大きく設定されている。
【００４０】
樹脂骨材６１０は、樹脂骨材６１０の主な材質であるＰＶＣ等の合成樹脂材と、加熱発泡材とを、同時押出成型（共押出成型）することで製造された共押出成形品（一体成形品）である。樹脂骨材６１０には４つの加熱発泡材６１５，６１６，６１７，６１８が設けられている。なお、樹脂骨材６１０は、同時押出成型で製造された共押出成形品に限定されず、合成樹脂材および加熱発泡材が一体化された一体成形品であればよい。
加熱発泡材６１５は、連結片部６１１の屋外側端部に設けられた加熱発泡材であり、加熱発泡材６１６は、連結片部６１１の屋内側端部に設けられた加熱発泡材である。加熱発泡材６１５、６１６は、連結片部６１１の表面側、つまり上枠１０、下枠２０に対向する面に露出されている。
加熱発泡材６１７は、連結片部６１１の屋外片部６１２および区画片部６１４間に設けられている。
加熱発泡材６１８は、区画片部６１４の基端部から、区画片部６１４および屋内片部６１３の中間部まで設けられている。加熱発泡材６１８の体積（量）は、加熱発泡材６１７よりも大きくなるように設定されている。加熱発泡材６１７、６１８は、連結片部６１１の内面側、つまり断熱芯材５３に対向する面に露出され、連結片部６１１の表面には露出していない。
加熱発泡材６１７および加熱発泡材６１８は、扉５の見込み方向において、後述する錠ケース６が配置される位置よりも、屋外側および屋内側にそれぞれ配置されている。さらに、加熱発泡材６１７、６１８は、屋外面材５１の屋内側の端縁と、屋内面材５２の屋外側の端縁との間に設けられている。このため、上骨６０および下骨７０においては、扉５の見込み方向において、錠ケース６よりも屋外側の位置に設けられた加熱発泡材６１７が第一加熱発泡材であり、錠ケース６よりも屋内側の位置に設けられた加熱発泡材６１８が第二加熱発泡材である。また、これらの加熱発泡材６１７、６１８は、樹脂骨材６１０において、屋外面材５１、屋内面材５２で覆われていない部分に設けられている。
区画片部６１４は、樹脂骨材６１０の長手方向（扉５の幅方向）の複数箇所に切欠部が形成されており、これらの切欠部には、金属製ピース材であるブラケット６３０がそれぞれ配置されている。なお、切欠部に関しては、後述する縦骨９０の樹脂骨材８１０において説明する。
【００４１】
金属骨材６２０は、スチールなどの鋼材で構成されたチャンネル材（軽量溝形鋼）であり、樹脂骨材６１０を補強する。金属骨材６２０は、ウェブ６２１と、ウェブ６２１の屋外端部に連続する屋外フランジ６２２と、ウェブ６２１の屋内端部に連続する屋内フランジ６２３とを備える。ウェブ６２１は、樹脂骨材６１０の連結片部６１１の内面（下面）に沿って配置され、屋外フランジ６２２は屋外片部６１２の内面（屋内面）に沿って配置され、屋内フランジ６２３は区画片部６１４の屋外面に沿って配置されている。
【００４２】
ブラケット６３０は、スチールなどの鋼材で構成された短尺のアングル材（軽量山形鋼）であり、受け片部６３１と、受け片部６３１の屋外端部から直交方向に連続する連結片部６３２とを備える。
ブラケット６３０の連結片部６３２は、金属骨材６２０の屋内フランジ６２３に当接され、金属骨材６２０にリベットやビスなどの金属製の連結具６３３で連結されている。このため、ブラケット６３０は複数個用意されており、区画片部６１４の切欠部分、すなわち、樹脂骨材６１０の長手方向において、例えば２〜５箇所程度にそれぞれ配置されている。
【００４３】
区画片部６１４および屋内片部６１３の空間には、不燃性、難燃性、自己消火性、遅燃性等の燃えにくい材質で構成された断熱材（以下、不燃断熱材という）５４が配置されている。不燃断熱材５４は、例えば、不燃性ポリウレタンや、炭化するＭＤＦ（medium density fiberboard、中密度繊維板）等で構成されている。したがって、不燃断熱材５４は、少なくともＥＰＳ製の断熱芯材５３よりも燃えにくい材質で構成されている。
本実施形態の不燃断熱材５４は角柱状に形成され、少なくとも、ブラケット６３０が配置されていない部分には設けられている。つまり、不燃断熱材５４は、各ブラケット６３０に跨がって設けられている。本実施形態では、不燃断熱材５４は、樹脂骨材６１０の長手方向に沿った長尺材とされ、各ブラケット６３０の受け片部６３１に沿って配置されている。このため、加熱発泡材６１８は、各ブラケット６３０と、不燃断熱材５４とに対向して設けられている。なお、加熱発泡材６１８は、受け片部６３１に両面テープなどで接着してもよい。
【００４４】
区画片部６１４および屋内片部６１３間の空間は、断熱芯材５３および樹脂骨材６１０で囲まれ、その空間内には、金属部品である複数のブラケット６３０も配置されているが、大部分は不燃断熱材５４が配置されているため、断熱性能を向上できる。また、ブラケット６３０は、Ｌ字状に形成され、屋内片部６１３の内面には当接していないので、金属骨材６２０およびブラケット６３０から屋内片部６１３には熱が伝わり難くでき、屋内片部６１３の断熱性能を向上できる。
【００４５】
屋外面材５１は、断熱芯材５３の屋外面に沿って配置され、その外縁部は、樹脂骨材６１０の屋外片部６１２から連結片部６１１に沿って屋内側に折り曲げられ、樹脂骨材６１０および金属骨材６２０に、金属製の固定部材であるリベット６５によって固定されている。
屋内面材５２は、断熱芯材５３の屋内面に沿って配置され、その外縁部は、樹脂骨材６１０の屋内片部６１３から連結片部６１１に沿って屋外側に折り曲げられ、樹脂骨材６１０およびブラケット６３０にリベット６５によって固定されている。なお、屋内面材５２は、ブラケット６３０が設けられてない箇所では、樹脂骨材６１０のみにリベット６５で固定されている。
なお、屋外面材５１および屋内面材５２は、断熱芯材５３の屋外面、屋内面に対して両面テープや接着剤を用いて接着されている。
【００４６】
［縦骨の構成］
吊元側の縦骨８０と戸先側の縦骨９０とは、図５〜７に示すように、樹脂骨材８１０と、金属骨材８２０とを備えている。なお、図６，７は、後述する錠ケース６を配置する貫通孔が形成された戸先側の縦骨９０である。
樹脂骨材８１０は、樹脂骨材６１０と同様に、連結片部８１１と、屋外片部８１２と、屋内片部８１３と、区画片部８１４とを備えて断面略Ｅ字状に形成されている。区画片部８１４の見込み方向の位置は、区画片部６１４と同じ位置とされている。
さらに、戸先側の縦骨９０には、図８にも示すように、２つの錠ケース６が操作ハンドル３の位置に合わせて設置される。このため、図６に示すように、縦骨９０の樹脂骨材８１０の連結片部８１１には、錠ケース６を配置するための２つの貫通孔９５が形成され、金属骨材８２０には、貫通孔９５に対応して２つの貫通孔９７が形成されている。
【００４７】
樹脂骨材８１０は、樹脂骨材６１０と同じく、ＰＶＣ等の合成樹脂と加熱発泡材とを同時押出成型（共押出成型）することで製造された共押出成形品であり、樹脂骨材８１０には５つの加熱発泡材８１５，８１６，８１７，８１８，８１９が設けられている。なお、樹脂骨材８１０も、樹脂骨材６１０と同様に、同時押出成型で製造された共押出成形品に限定されず、合成樹脂材および加熱発泡材が一体化された一体成形品であればよい。
加熱発泡材８１５は、連結片部８１１の屋外側端部に設けられた加熱発泡材であり、加熱発泡材８１６は、連結片部８１１の屋内側端部に設けられた加熱発泡材である。加熱発泡材８１５、８１６は、連結片部８１１の表面側、つまり縦枠３０、４０に対向する面に露出されている。
【００４８】
加熱発泡材８１７、８１８は、連結片部８１１の屋外片部８１２および区画片部８１４間において、貫通孔９５に対応する位置に設けられている。すなわち、貫通孔９５は、樹脂骨材８１０の製造後に切欠加工で形成されたものであり、連結片部８１１の見込み方向（屋外片部８１２から屋内片部８１３に向かう方向）における貫通孔９５の形成位置が、加熱発泡材８１７、８１８が形成されている位置を含むように設定されている。このため、加熱発泡材８１７、８１８は、樹脂骨材８１０の上下方向に連続して形成されるが、貫通孔９５が形成された２箇所で分断されている。このように、加熱発泡材８１７および加熱発泡材８１８は、扉５の見込み方向において、錠ケース６と重なる位置に配置されている。
なお、吊元側の縦骨８０においても、通電金具などの付属部品を設置するための貫通孔を設ける場合があるが、貫通孔の見込み方向の位置は縦骨９０の場合と同じである。
【００４９】
加熱発泡材８１９は、区画片部８１４の基端部から区画片部８１４および屋内片部８１３の中間部まで設けられている。加熱発泡材８１７、８１８、８１９は、連結片部８１１の内面側、つまり断熱芯材５３に対向する面に露出され、連結片部８１１の表面には露出していない。さらに、加熱発泡材８１７、８１８、８１９は、屋外面材５１の屋内側の端縁と、屋内面材５２の屋外側の端縁との間に設けられている。したがって、これらの加熱発泡材８１７，８１８，８１９は、樹脂骨材８１０において、屋外面材５１、屋内面材５２で覆われていない部分に設けられている。
加熱発泡材８１９の体積（量）は、加熱発泡材８１７、８１８よりも大きくなるように設定されている。
区画片部８１４は、区画片部６１４と同じく、樹脂骨材８１０の長手方向の複数箇所に切欠部９３が形成され、ブラケット６３０と同じ金属製ピース材であるブラケット８３０が配置されている。
【００５０】
金属骨材８２０は、金属骨材６２０と同様に、スチールなどの鋼材で構成されたチャンネル材であり、ウェブ８２１と、屋外フランジ８２２と、屋内フランジ８２３とを備え、樹脂骨材８１０の連結片部８１１、屋外片部８１２、区画片部８１４の内面に沿って配置されている。ウェブ８２１には、貫通孔９５に対応する貫通孔９７が形成されている。
【００５１】
ブラケット８３０は、ブラケット６３０と同一種類の部品であり、受け片部８３１と、連結片部８３２とを備え、金属骨材８２０の屋内フランジ８２３にリベットやビスなどの金属製の連結具８３３で連結されている。
【００５２】
縦骨８０、９０の区画片部８１４および屋内片部８１３の空間には、上骨６０、下骨７０と同様に、図７にも示すように、不燃断熱材５４が配置されている。不燃断熱材５４は、ブラケット８３０の受け片部８３１に両面テープで接着してもよい。
不燃断熱材５４が配置されているので、区画片部８１４および屋内片部８１３間の空間の断熱性能を向上できる。また、加熱発泡材８１９は、各ブラケット８３０と、不燃断熱材５４とに対向して設けられている。
【００５３】
屋外面材５１の外縁部は、図５に示すように、縦骨８０、９０に対しても、樹脂骨材８１０の屋外片部８１２から連結片部８１１に沿って屋内側に折り曲げられ、樹脂骨材８１０および金属骨材８２０にリベット６５で固定されている。
屋内面材５２の外縁部は、樹脂骨材８１０の屋内片部８１３から連結片部８１１に沿って屋外側に折り曲げられ、樹脂骨材８１０およびブラケット８３０や、樹脂骨材８１０のみにリベット６５で固定されている。
【００５４】
縦骨８０、９０の樹脂骨材８１０における連結片部８１１の表面側には、断面略Ｌ字状に屈曲された２つの係合突部８１１Ａ，８１１Ｂが、樹脂骨材８１０の長手方向に連続して形成されている。
【００５５】
［エッジ材］
樹脂骨材８１０の表面には、図５に示すように、アルミ製の金属エッジ材５５と、樹脂製の樹脂エッジ材５６とが取り付けられている。
縦骨８０に取り付けられる金属エッジ材５５Ａは、縦枠３０に対向する表面における屋外端部側に水密材５７が装着される溝５５１が形成され、溝５５１の屋内側には加熱発泡材５８が配置される溝５５２が形成されている。
縦骨９０に取り付けられる金属エッジ材５５Ｂは、屋外面材５１よりも屋外側まで延長されており、この延長部分に水密材５７が装着される溝５５３が形成されている。また、金属エッジ材５５Ｂには、金属エッジ材５５Ａの溝５５２と同じ見込み位置に、加熱発泡材５８が配置される溝５５２が形成されている。水密材５７は、一部に加熱発泡材５７１が練り込まれたり、同時押出成型されている。
金属エッジ材５５（金属エッジ材５５Ａ、５５Ｂ）は、前記係合突部８１１Ａに係合される係合部５５４と、係合突部８１１Ｂに係合される係合部５５５とを有する。係合部５５５には、樹脂エッジ材５６を連結するための断面Ｌ字状の連結片が形成されている。
金属エッジ材５５は、係合部５５４、５５５が係合突部８１１Ａ，８１１Ｂに係合された状態で、タッピングネジ５５７によって、樹脂骨材８１０を介して金属骨材８２０に固定されている。なお、図６に示すように、樹脂骨材８１０、金属骨材８２０には、タッピングネジ５５７を挿通するための下穴を形成しておいてもよい。
縦骨８０、９０においては、扉５の見込み方向において、錠ケース６よりも屋外側の位置に設けられた加熱発泡材５８が第一加熱発泡材である。
【００５６】
樹脂エッジ材５６は、金属エッジ材５５の屋内側に連結されている。樹脂エッジ材５６は、前記金属エッジ材５５に連結される断面Ｌ字状の連結部５６１と、連結部５６１から屋内側に向かって延長された本体部５６２と、本体部５６２の見込み方向の中間位置から樹脂骨材８１０に向かって延長された延出片部５６３とを有する。
本体部５６２は、屋内側に向かうにしたがって縦枠３０、４０から離れる方向（互いに近づく方向）に傾斜配置されている。そして、本体部５６２の裏面、つまり樹脂骨材８１０に対向する面は、延出片部５６３で２つの領域に区画されており、各領域にはシート状の加熱発泡材５６５，５６６が設けられている。
樹脂エッジ材５６は、ＰＶＣなどで構成される樹脂部分（連結部５６１、本体部５６２、延出片部５６３）と、加熱発泡材５６５，５６６とを同時押出成型することで製造されている。そして、縦骨８０、９０においては、扉５の見込み方向において、錠ケース６よりも屋内側の位置に設けられた加熱発泡材５６５，５６６が第二加熱発泡材である。
【００５７】
樹脂エッジ材５６は、扉５を閉めた際に、前記サブタイト材３６，４６が当接する位置に配置されている。すなわち、樹脂エッジ材５６は、サブタイト材３６，４６の当接位置の屋外側および屋内側に跨がって配置されている。このため、扉５を閉めた場合に、屋内部材３２，４２、メインタイト材３５，４５、サブタイト材３６，４６、樹脂エッジ材５６で囲まれた密閉空気層が形成される。この密閉空気層は、周囲が熱伝導率の低い合成樹脂材で囲まれるため、断熱性能が向上する。
また、本体部５６２が傾斜配置されているため、扉５を閉めた際に、樹脂エッジ材５６は、サブタイト材３６，４６に徐々に当接し、サブタイト材３６，４６のリップ部を徐々に湾曲させるため、扉５をスムーズに開閉でき、扉５を閉めた際のサブタイト材３６，４６と樹脂エッジ材５６の密着性も向上できる。
【００５８】
戸先側の縦骨９０には、錠ケース６が貫通孔９５、９７に挿通され、タッピングネジ５５７によって樹脂骨材８１０を介して金属骨材８２０に固定されている。本実施形態では、図８に示すように、上下に２つの錠ケース６が設けられ、上側の錠ケース６には、鎌錠７とラッチボルト８とが出没可能に設けられている。下側の錠ケース６には、鎌錠７が出没可能に設けられている。
これらの錠ケース６は、図５、６にも示すように、扉５の見込み方向においては、ほぼ中間位置に配置されている。また、金属エッジ材５５Ｂには、縦骨９０の樹脂骨材８１０、金属骨材８２０に形成された貫通孔９５、９７に対応する貫通孔が形成され、これらの貫通孔９５、９７に錠ケース６が配置されている。
一方、縦枠４０の屋外部材４１には、前記錠ケース６の位置に応じて、ラッチ受４７や錠受がネジ止めされている。
【００５９】
吊元側の縦骨８０および縦枠３０には、図３に示すように、ピボットヒンジ４がネジ止めされている。すなわち、ピボットヒンジ４のプレート４Ａは、縦枠３０の屋外部材３１に補強板材３７、３８を介してネジ止めされている。また、ピボットヒンジ４のプレート４Ｂは、金属エッジ材５５に当接配置され、プレート４Ｂから金属エッジ材５５、樹脂骨材８１０、金属骨材８２０を介して裏板８２５にネジ止めされており、十分な取付強度を確保できる。
さらに、扉５に電気錠が設けられている場合のように、扉５の内部と躯体１００側との間で通電が必要な場合、縦骨８０の金属エッジ材５５Ａ、樹脂骨材８１０、金属骨材８２０に貫通孔を形成し、通電金具などを配置している。
【００６０】
［ドアの防火構造］
本実施形態における各加熱発泡材による防火構造について、火災によって加熱発泡材が発泡した状態を示す図９，１０を参照して説明する。なお、図９は、上枠１０および上骨６０の加熱発泡材の発泡状態を示し、図１０は、戸先側の縦枠４０および縦骨９０の加熱発泡材の発泡状態を示す。なお、下骨７０の加熱発泡材の発泡状態は上骨６０と同様であり、吊元側の縦枠３０および縦骨８０の加熱発泡材の発泡状態は縦枠４０および縦骨９０と同様であるため、図示は略す。
【００６１】
火災時の温度上昇で各加熱発泡材が発泡して膨張すると、樹脂骨材６１０、８１０の加熱発泡材６１５、８１５は、屋外面材５１と金属骨材６２０、８２０間の隙間を塞ぐ。樹脂骨材６１０、８１０の加熱発泡材６１６、８１６は、屋内面材５２と不燃断熱材５４との隙間を塞ぐ。
縦骨８０、９０の樹脂骨材８１０に設けられた加熱発泡材８１７、８１８は、金属骨材８２０と金属エッジ材５５との間を塞ぐ。
樹脂骨材６１０、８１０の加熱発泡材６１８、８１９は、金属骨材６２０、８２０の屋内フランジ６２３、８２３と、不燃断熱材５４との隙間を塞ぐ。
【００６２】
図９に示すように、上骨６０や下骨７０の樹脂骨材６１０の加熱発泡材６１７は、樹脂骨材６１０が焼失した際に、金属骨材６２０と、上枠１０の屋外部材１１の下面部１１３や、下枠２０の屋外部材２１１との隙間を塞ぐ。
図１０に示すように、縦骨８０、９０の金属エッジ材５５に設けられた加熱発泡材５８は、金属エッジ材５５と、側面部３１３、４１３との隙間を塞ぐ。
これらの加熱発泡材６１７と、加熱発泡材５８とは、ドア１の見込み方向の位置が一致しているので、扉５の見込み面に四周連続する第一加熱発泡材ラインを形成し、ドア枠２と扉５間の隙間を塞ぐ。
【００６３】
図９に示すように、上骨６０や下骨７０の樹脂骨材６１０の加熱発泡材６１８は、樹脂骨材６１０が焼失した際に、不燃断熱材５４やブラケット６３０と、上枠１０の下面部１１３や、下枠２０の屋外部材２１１との隙間を塞ぐ。
図１０に示すように、縦骨８０、９０の樹脂エッジ材５６に設けられた加熱発泡材５６５、５６６は、金属エッジ材５５や屋内面材５２と、側面部３１３、４１３や屋内部材３２、４２の加熱発泡材３４，４４との隙間を塞ぐ。
図７に示す加熱発泡材６１８と、図１０に示す加熱発泡材５６５，５６６とは、ドア１の見込み方向の位置が一致しているので、扉５の見込み面に四周連続する第二加熱発泡材ラインを形成し、ドア枠２と扉５間の隙間を塞ぐ。
また、図１０に示すように、サブタイト材３６、４６は、見込み方向の位置が、樹脂エッジ材５６の加熱発泡材５６５と加熱発泡材５６６との間に配置されているので、発泡した加熱発泡材５６５、５６６間に配置される。すなわち、加熱発泡材５６５は、サブタイト材３６、４６が樹脂エッジ材５６に当接する位置よりも屋外側に設けられた屋外側加熱発泡材である。また、加熱発泡材５６６は、サブタイト材３６、４６よりも屋内側に設けられた屋内側加熱発泡材である。
さらに、水密材５７に設けられた加熱発泡材５７１は、膨張すると金属エッジ材５５と、屋外部材３１、４１との隙間部分を塞ぐ。
【００６４】
図４に示すように、ドア１の見込み方向において、加熱発泡材１４が配置された範囲の一部は、扉５の見込み面（上面）と重なり（ラップし）、扉５の見込み面に対向する。このため、図９に示すように、屋内部材１２の一部が焼失し、加熱発泡材１４が発泡すると、加熱発泡材１４は中空部１２１の内部空間を充填し、さらに扉５の屋内面材５２の上面やメインタイト材１５に当接し、上枠１０と扉５との間の隙間を塞ぐ。
同様に、図５に示すように、縦枠３０、４０の屋内部材３２、４２に設けられた加熱発泡材３４、４４も、ドア１の見込み方向において、少なくとも一部が扉５の見込み面（側面）と重なり（ラップし）、扉５の側面（見込み面）に対向する。このため、図１０に示すように、屋内部材３２，４２の一部が焼失し、加熱発泡材３４，４４が発泡すると、加熱発泡材３４，４４は中空部３２３、４２３間を充填し、さらに扉５の樹脂エッジ材５６に設けられた加熱発泡材５６６等に当接し、縦枠３０，４０と扉５との間の隙間を塞ぐ。
したがって、縦枠３０、４０に設けられた加熱発泡材３４、４４も、サブタイト材３６、４６よりも屋内側に設けられた屋内側加熱発泡材である。
そして、ドア枠２および扉５間において、サブタイト材３６、４６は、扉５の側面（屋内面材５２やリベット６５）に当接し、サブタイト材３６、４６の屋外側は屋外側加熱発泡材である加熱発泡材５６５で充填され、屋内側は屋内側加熱発泡材である加熱発泡材５６６、３４、４４で充填される。このため、ドア枠２および扉５間は、サブタイト材３６、４６と、このサブタイト材３６、４６を挟んで配置される加熱発泡材５６５、加熱発泡材５６６、３４、４４とで塞がれる。
【００６５】
以上のように、火災時には各加熱発泡材が発泡し、扉５内部を密閉したり、ドア枠２および扉５間の隙間を塞ぐため、ドア１において必要な防火性能が確保される。
【００６６】
［第１実施形態による効果］
（１）扉５の枠体５０として樹脂骨材６１０、８１０を用い、樹脂骨材６１０、８１０に屋外面材５１および屋内面材５２を取り付けているので、金属骨材に各面材を取り付ける場合に比べて、断熱性能を向上できる。
樹脂骨材６１０、８１０の補強材である金属骨材６２０、８２０は、扉５の屋内面材５２の位置までは設けられておらず、金属骨材６２０、８２０と屋内面材５２とは扉５の見込み寸法の１／３程度の寸法分、離れているので、金属骨材６２０、８２０および屋内面材５２間での熱流出を低減でき、断熱性能を向上できる。
また、金属骨材６２０、８２０に連結されたブラケット６３０、８３０は、短尺のピース状に形成され、２〜５個程度しか設けられていないので、ブラケット６３０、８３０を介して屋内面材５２に熱が伝わることも抑制できる。特に、ブラケット６３０、８３０は、アングル材で構成され、屋内面材５２に最も近い部分は、受け片部６３１，８３１の端縁であって面積も小さいため、ブラケット６３０、８３０および屋内面材５２間の熱流出を低減できる。
金属骨材６２０、８２０と、屋内面材５２との間の空間には、不燃断熱材５４が配置されているので、さらに断熱性能を向上できる。したがって、高断熱の扉５とすることができる。
【００６７】
（２）金属骨材６２０、８２０およびブラケット６３０、８３０を連結具６３３、８３３で連結し、さらに、屋外面材５１および屋内面材５２を、樹脂骨材６１０、８１０を介して、金属骨材６２０、８２０およびブラケット６３０、８３０にリベット６５で固定しているので、火災時に樹脂骨材６１０、８１０が焼失したとしても、屋外面材５１、金属骨材６２０、８２０、ブラケット６３０、８３０、屋内面材５２が連結された状態を維持できる。したがって、火災時に扉５の形態を維持でき、遮炎性能も確保できる。
【００６８】
（３）不燃断熱材５４は、少なくとも複数のブラケット６３０間や、ブラケット８３０間に跨がって配置されているので、ブラケット６３０、８３０間の空間を不燃断熱材５４で塞ぐことができる。
このため、不燃断熱材５４の周囲に設けられた加熱発泡材６１６、８１６、６１８、８１９が発泡時に塞ぐ必要がある空間の体積が、不燃断熱材５４を設けない場合に比べて小さくなり、加熱発泡材６１６、８１６、６１８、８１９の量を大幅に少なくでき、コストも低減でき、樹脂骨材６１０、８１０の剛性も確保できる。
また、加熱発泡材６１８は、不燃断熱材５４があるため、上枠１０側や下枠２０側に確実に発泡させることができ、上枠１０と上骨６０間の隙間や、下枠２０と下骨７０間の隙間を確実に塞ぐことができる。
【００６９】
（４）加熱発泡材６１５、６１６、６１８、８１５、８１６、８１７、８１８、８１９によって、扉５内部を密封することができるため、樹脂骨材６１０、８１０が焼失しても、断熱芯材５３が設けられた扉５の内部空間と扉５の外部との連通箇所を塞ぐことができる。したがって、加熱された断熱芯材５３からガスが発生しても、そのガスが扉５の外部に流出することを防止できる。
【００７０】
（５）樹脂骨材６１０、８１０に設けられる加熱発泡材６１５〜６１８、８１５〜８１９を、樹脂骨材６１０、８１０の製造時に同時押出成型で製造しているので、樹脂骨材６１０、８１０に、別途製造された加熱発泡材を後から貼り付ける場合に比べて、製造時の組立性や生産性も向上できる。また、加熱発泡材を後から貼り付けた場合、経年劣化により加熱発泡材が剥がれてくる可能性があり、定期的にメンテナンスが必要となるが、同時押出成型で製造した場合には経年劣化による加熱発泡材の剥がれがおきにくく、品質低下も防止できる。
また、加熱発泡材を後から貼り付ける場合は、構造上、樹脂骨材に対して取り付ける位置の制約を受けるため、防火性能を担保するための設計が困難となるが、本実施形態のように、同時押出成型によれば、加熱発泡材の配置位置や形状の自由度が高いため、防火性能も容易に担保できる。その上、剛性が低い加熱発泡材の量（体積）を必要最小限に抑えることができ、樹脂骨材６１０、８１０に必要な強度を容易に確保できる。
【００７１】
（６）加熱発泡材６１７と加熱発泡材５８とで扉５の見込み面において四周連続する第一加熱発泡材ラインを形成し、加熱発泡材６１８と、加熱発泡材５６５，５６６とで、扉５の見込み面において四周連続する第二加熱発泡材ラインを形成しているので、ドア枠２と扉５との間には、見込み方向に二重の遮炎ラインを構成でき、遮炎性能を向上できる。
さらに、二重の加熱発泡材ラインは、錠ケース６等の付属部品を挟んで屋外側および屋内側に形成されるため、加熱された断熱芯材５３から発生したガスが付属部品自体から流出しても、前記二重の加熱発泡材ライン間に密封することができる。
また、金属エッジ材５５、樹脂エッジ材５６は、扉５の構造体ではないため、構造や形状の自由度が高く、加熱発泡材の配置位置の制約も少ない。このため、金属エッジ材５５、樹脂エッジ材５６における加熱発泡材５８、５６５，５６６の配置位置は、上骨６０や下骨７０に設けられた加熱発泡材６１７，６１８の見込み方向の位置に容易に合わせることができ、扉５の見込み面に四周連続する第一加熱発泡材ライン、第二加熱発泡材ラインを容易に構成できる。
【００７２】
（７）樹脂骨材６１０、８１０に設けられる加熱発泡材６１５〜６１８、８１５〜８１９のうち、樹脂骨材６１０、８１０の表面側に露出する加熱発泡材６１５，６１６，８１５，８１６は、屋外面材５１、屋内面材５２で覆われており、他の加熱発泡材６１７，６１８，８１７〜８１９は、樹脂骨材６１０、８１０の内面側（裏面側）に露出し、表面側には露出しない。このため、加熱発泡材６１５〜６１８、８１５〜８１９は、扉５の表面側に露出しないので、意匠性を向上できる。
【００７３】
（８）樹脂エッジ材５６に設けられる加熱発泡材５６５、５６６も樹脂エッジ材５６の裏面側に設けられ、表面側には露出しないため、意匠性を向上できる。
また、金属エッジ材５５に設けられる加熱発泡材５８は、金属エッジ材５５の溝５５２内部、つまりポケット部に配置され、一部分のみが扉５の側面に露出するため、加熱発泡材５８も目立ちにくくでき、意匠性を向上できる。
さらに、これらの加熱発泡材５６５，５６６，５８は、扉５の金属エッジ材５５や樹脂エッジ材５６の表面に露出しないので、扉５の開閉時に、サブタイト材３６やサブタイト材４６に接触することがない。このため、加熱発泡材５６５，５６６，５８が摩耗することがなく、品質を維持できる。
また、扉５の縦骨８０，９０に金属エッジ材５５、樹脂エッジ材５６を取り付けているので、縦骨８０，９０の樹脂骨材８１０をエッジ材５５，５６で被覆でき、扉５の意匠性を向上できる。
【００７４】
（９）ドア１の見込み方向において、樹脂エッジ材５６の配置位置を、サブタイト材３６、４６の屋外側および屋内側に跨がるように配置し、加熱発泡材５６５がサブタイト材３６、４６の屋外側に膨張し、加熱発泡材５６６がサブタイト材３６、４６の屋内側に膨張するように構成したので、サブタイト材３６、４６は各加熱発泡材５６５、５６６に挟まれるため、扉５の見込み面への当接状態を維持できる。特に、加熱発泡材５６５および加熱発泡材５６６、３４、４４でサブタイト材３６、４６を覆って保護することができるため、耐燃性でないサブタイト材３６、４６の焼失を低減する、もしくは、焼失する時間を遅延させることができ、サブタイト材３６、４６および各加熱発泡材５６５、５６６、３４、４４でドア枠２および扉５間を塞いで遮縁性能を担保することができる。このため、サブタイト材３６，４６と加熱発泡材とでドア枠２および扉５間を塞ぐことができ、加熱発泡材のみで塞ぐ場合に比べて、遮炎性能を向上できる。
また、サブタイト材３６、４６のみでドア枠２および扉５間を塞いだ場合には、サブタイト材３６、４６の屋内外で圧力差が生じた際に、サブタイト材３６、４６がめくれて扉５から離れる可能性があるが、特にサブタイト材３６、４６の屋内側に加熱発泡材５６６、３４、４４を充填しているので、サブタイト材３６、４６の屋内外で圧力差が生じても扉５への当接状態を維持でき、遮炎性能を維持できる。
さらに、扉５の側面に、サブタイト材３６、４６および各加熱発泡材５６５、５６６を当接させているので、扉５が熱反りしても、扉５の側面への当接状態を維持でき、遮炎性能も維持できる。
【００７５】
（１０）水密材５７には加熱発泡材５７１が設けられているので、火災時には金属エッジ材５５と、屋外部材３１、４１との隙間部分を、加熱発泡材５７１で塞ぐことができる。
【００７６】
（１１）屋内部材１２、３２、４２に設けられた加熱発泡材１４、３４、４４は、少なくとも一部が、扉５の見込み面と重なり（ラップし）、扉５の見込み面に対向する。このため、屋内部材１２、３２、４２の一部が焼失した場合、加熱発泡材１４、３４、４４は扉５の見込み面側に発泡して扉５の見込み面との隙間を塞ぐことができる。
また、これらの加熱発泡材１４、３４、４４は、中空部１２１、３２１、４２１内に設けられ、屋内部材１２、３２、４２の表面に露出しないため、ドア枠２の意匠性を向上できる。
【００７７】
（１２）屋内部材３２、４２に設けられた加熱発泡材３４、４４は、少なくとも一部が、ドア枠２の見込み方向において、サブタイト材３６、４６の取付位置と、メインタイト材３５、４５が取り付けられた保持片部３２２、４２２との間に配置されているので、各メインタイト材３５、４５およびサブタイト材３６、４６で囲まれる空間を加熱発泡材３４、４４で充填することができ、遮炎性能を向上できる。
また、加熱発泡材３４、４４が発泡した際には、サブタイト材３６、４６や、メインタイト材３５、４５を扉５に押し付ける方向に膨張できるので、火災時に縦枠３０、４０等や扉５が熱反りした場合でも、ドア枠２および扉５間を確実に塞ぐことができ、遮炎性能を向上できる。特に、扉５の見付け面に当接するタイト材は、扉５が熱反りした際に扉５に密着できない箇所が発生しやすいが、扉５の見込み面に当接するサブタイト材３６、４６を設けているので、扉５等が熱反りしても、扉５との密着状態を維持でき、遮炎性能も維持できる。
【００７８】
［第２実施形態］
次に、本発明の第２実施形態について、図１１、１２を参照して説明する。
第２実施形態のドア１Ｂは、加熱発泡材１４、３４、４４が設けられた中空部１２１、３２１、４２１の内部空間内に、金属製のブラケット１２６、３２６、４２６と、断熱材１２７、３２７、４２７とを配置したものである。その他の構成は第１実施形態と同一であるため、説明を省略する。
【００７９】
ブラケット１２６、３２６、４２６は、スチールなどの鋼材で構成された短尺のチャンネル材（軽量溝形鋼）であり、屋内部材１２、３２、４２の長手方向に沿って複数個（例えば２〜５個）配置され、ネジ５１３、５３３、５４３によって屋外部材１１、３１、４１に連結されている。なお、ブラケット１２６、３２６、４２６は、チャンネル材に限らず、アングル材などで構成してもよい。
【００８０】
断熱材１２７、３２７、４２７は、不燃断熱材５４と同様に、不燃性等の燃えにくい材質（不燃材）で構成され、特に屋内部材１２、３２、４２よりも燃えにくい材質で構成されている。
断熱材１２７、３２７、４２７は、角柱状に形成され、少なくとも、各ブラケット１２６、３２６、４２６に跨がって設けられている。本実施形態では、断熱材１２７、３２７、４２７は、屋内部材１２、３２、４２の長手方向に沿った長尺材とされ、加熱発泡材１４、３４、４４に対向して設けられている。
【００８１】
第２実施形態においても、前記第１実施形態と同様の効果を奏することができる。
さらに、火災時に加熱発泡材１４、３４、４４が発泡した際に、中空部１２１、３２１、４２１の内部空間には、金属製のブラケット１２６、３２６、４２６で保持された断熱材１２７、３２７、４２７が配置され、内部空間の殆どを占有しているため、加熱発泡材１４、３４、４４は内部空間側には殆ど発泡せずに扉５側に向かって発泡する。このため、加熱発泡材１４、３４、４４は、第１実施形態に比べて、内部空間を充填する必要がない分、扉５およびドア枠２間を塞ぐために必要となる容積を小さくできる。また、加熱発泡材１４、３４、４４の容積を第１実施形態と同じ容積とすれば、加熱発泡材１４、３４、４４は、扉５およびドア枠２間でより広い範囲を充填でき、サブタイト材３６、４６の屋外側を塞ぐ加熱発泡材５６５と、屋内側を塞ぐ加熱発泡材５６６、３４、４４とで構成される遮炎層の見込み寸法も大きくでき、遮炎性能を向上できる。
【００８２】
さらに、断熱材１２７、３２７、４２７は、金属製のブラケット１２６、３２６、４２６に保持され、ブラケット１２６、３２６、４２６は、金属製の屋外部材１１、３１、４１に連結されているので、合成樹脂製の屋内部材１２、３２、４２が仮に焼失したとしても、ブラケット１２６、３２６、４２６および断熱材１２７、３２７、４２７の配置状態を維持でき、加熱発泡材１４、３４、４４が扉５側に発泡した状態も維持できる。
特に、本実施形態では、断熱材１２７、３２７、４２７を不燃材で構成したので、断熱材１２７、３２７、４２７の配置状態を確実に維持できる。
また、加熱発泡材１４、３４、４４は、断熱材１２７、３２７、４２７の扉５側、つまり屋内部材１２、３２、４２の下面部１２１Ａ、側面部３２１Ａ、４２１Ａ側に配置されているので、下面部１２１Ａ、側面部３２１Ａ、４２１Ａが加熱された時点で発泡し、断熱材１２７、３２７、４２７の扉５に対向する面を覆うことができる。したがって、断熱材１２７、３２７、４２７が不燃材でない場合でも、断熱材１２７、３２７、４２７の焼失を防止できる。
さらに、中空部１２１、３２１、４２１の内部空間に断熱材１２７、３２７、４２７を配置しているので、屋内部材１２、３２、４２の断熱性能をより向上できる。
【００８３】
［第３実施形態］
次に、本発明の第３実施形態について、図１３、１４を参照して説明する。
第３実施形態のドア１Ｃは、加熱発泡材１４Ｃ、３４Ｃ、４４Ｃの容積を第１実施形態に比べて増量したものである。その他の構成は第１実施形態と同一であるため、説明を省略する。
【００８４】
第３実施形態のドア１Ｃでは、第１実施形態に比べて約２〜３倍の容積の加熱発泡材１４Ｃ、３４Ｃ、４４Ｃを設けている。
この第３実施形態においても、前記第１実施形態と同様の効果を奏することができる。
さらに、加熱発泡材１４Ｃ、３４Ｃ、４４Ｃの容積が増えているので、発泡した際に、第１実施形態に比べて、扉５およびドア枠２間のより広い範囲を充填でき、サブタイト材３６、４６の屋外側を塞ぐ加熱発泡材５６５と、屋内側を塞ぐ加熱発泡材５６６、３４Ｃ、４４Ｃとで構成される遮炎層の見込み寸法も大きくでき、遮炎性能を向上できる。
また、加熱発泡材１４Ｃ、３４Ｃ、４４Ｃは、中空部１２１、３２１、４２１の内部空間に配置されるため、加熱発泡材１４Ｃ、３４Ｃ、４４Ｃの容積を、前記内部空間の容積まで増やすことができる。このため、第１実施形態に比べて約２〜３倍の容積の加熱発泡材１４Ｃ、３４Ｃ、４４Ｃを容易に設けることができる。
【００８５】
［第４実施形態］
次に、本発明の第４実施形態について、図１５、１６を参照して説明する。
第４実施形態のドア１Ｄは、加熱発泡材１４Ｄ、３４Ｄ、４４Ｄを、屋内部材１２、３２、４２の扉側に面する開口側内面（表面）に設けたものである。すなわち、加熱発泡材１４Ｄは、下面部１２１Ａの下面側に設けられ、加熱発泡材３４Ｄ、４４Ｄは、側面部３２１Ａ、４２１Ａの表面側に設けられている。加熱発泡材１４Ｄは、ドア枠２の見込み方向において、ヒレ部（サブタイト材）１２１Ｂと、メインタイト材１５の保持片部１２２との間に配置されている。加熱発泡材３４Ｄ、４４Ｄは、ドア枠２の見込み方向において、サブタイト材３６、４６の取付位置と、メインタイト材３５、４５の保持片部３２２、４２２との間に配置されている。
また、加熱発泡材１４Ｄ、３４Ｄ、４４Ｄの少なくとも一部、具体的には、見込み方向において屋外側の約半分の範囲は、扉５の見込み面（上面および側面）に対向して配置されている。
【００８６】
この第４実施形態においても、前記第１実施形態と同様の効果を奏することができる。
さらに、第４実施形態では、屋内部材１２、３２、４２の表面側に加熱発泡材１４Ｄ、３４Ｄ、４４Ｄを設けているので、火災時には屋内部材１２、３２、４２が焼失する前に加熱発泡材１４Ｄ、３４Ｄ、４４Ｄを発泡させることができ、扉５およびドア枠２間を早期に塞ぐことができる。また、サブタイト材３６、４６の屋外側を加熱発泡材５６５で塞ぎ、屋内側を加熱発泡材５６６、３４Ｄ、４４Ｄで塞ぐことができるので、遮炎性能を向上できる。
また、屋内部材１２、３２、４２の表面側に設けられた加熱発泡材１４Ｄ、３４Ｄ、４４Ｄは、サブタイト材１２１Ｂ、３６、４６およびメインタイト材１５、３５、４５でほぼ覆われて隠されているため、利用者が視認し難くでき、意匠性を向上できる。特に、サブタイト材３６、４６のリップ部は、扉５に当接可能な延出寸法を有しており、メインタイト材３５、４５の近くまで延出されているので、加熱発泡材３４Ｄ、４４Ｄの殆どを隠すことができる。したがって、扉５を開いた場合でも加熱発泡材３４Ｄ、４４Ｄを隠すことができ、意匠性を向上できる。
【００８７】
［第５実施形態］
次に、本発明の第５実施形態について、図１７、１８を参照して説明する。
第５実施形態のドア１Ｅは、扉５の縦骨８０、９０の樹脂エッジ材５６において、サブタイト材３６、４６が当接する位置よりも屋外側に配置された加熱発泡材５６５のみを設け、サブタイト材３６、４６が当接する位置よりも屋内側には加熱発泡材を設けていない点が第１実施形態と相違する。
【００８８】
第５実施形態のドア１Ｅは、火災時には、図１８に示すように、加熱発泡材３４、４４が扉５側に発泡し、サブタイト材３６、４６のリップ部を扉５の側面に押し付ける。このため、サブタイト材３６、４６の屋外側には加熱発泡材５６５が充填し、屋内側には加熱発泡材３４、４４が充填する。したがって、サブタイト材３６、４６は、扉５の側面（屋内面材５２やリベット６５）に当接した状態で、加熱発泡材５６５と、加熱発泡材３４、４４とで挟持され、ドア枠２と扉５との隙間を塞いでいる。
【００８９】
この第５実施形態においても、前記第１実施形態と同様の効果を奏することができる。
さらに、樹脂エッジ材５６には、延出片部５６３の屋外側のみに加熱発泡材５６５が設けられ、延出片部５６３の屋内側には加熱発泡材が設けられていないが、延出片部５６３の屋内側の範囲には、前記加熱発泡材３４、４４が見込み方向において重なって配置されているので、加熱発泡材３４、４４が発泡することで、扉５とドア枠２との間を確実に塞ぐことができる。したがって、第５実施形態によれば、防火性能を確保しつつ、樹脂エッジ材５６に設ける加熱発泡材の容積を約半分にでき、コストを低減できる。
【００９０】
［変形例］
なお、本発明は以上の実施形態で説明した構成のものに限定されず、本発明の目的を達成できる範囲での変形例は、本発明に含まれる。
例えば、ドア枠としては、図１９，２０に示すように、上枠１０Ａおよび縦枠３０Ａ，４０Ａをアルミ断熱形材で構成したドア枠２Ａを用いてもよい。なお、扉５や下枠２０は前記実施形態と同一の構成であるため、説明を省略する。
上枠１０Ａは、それぞれアルミ製の屋外部材１１Ａおよび屋内部材１２Ａを、ウレタン樹脂等の断熱部材１３Ａで連結して構成されている。縦枠３０Ａ、４０Ａは、アルミ製の屋外部材３１Ａ，４１Ａおよび屋内部材３２Ａ、４２Ａを、ウレタン樹脂等の断熱部材３３Ａ，４３Ａで連結して構成されている。
これらの上枠１０Ａ、縦枠３０Ａ，４０Ａでは、屋外部材１１Ａ，３１Ａ，４１Ａおよび屋内部材１２Ａ，３２Ａ，４２Ａが連結用ブラケット１７Ａを介して連結されている。これにより、断熱部材１３Ａ、３３Ａ，４３Ａが焼失した場合でも、屋外部材１１Ａ，３１Ａ，４１Ａおよび屋内部材１２Ａ，３２Ａ，４２Ａを連結した状態のまま維持できる。また、上枠１０Ａ、縦枠３０Ａ、４０Ａの断熱部材１３Ａ、３３Ａ，４３Ａの表面、つまり扉５側の面には、加熱発泡材１４Ａ、３４Ａ、４４Ａが貼られている。これにより、火災時には、加熱発泡材１４Ａ、３４Ａ、４４Ａが膨張して、断熱部材１３Ａ、３３Ａ，４３Ａを被覆するため、断熱部材１３Ａ、３３Ａ，４３Ａの焼失を防止できる。また、ドアは、上下の高さ寸法が大きいため、火災時には、縦枠３０Ａ，４０Ａ等が湾曲して扉５との隙間が生じやすいが、縦枠３０Ａ、４０Ａに加熱発泡材３４Ａ、４４Ａが貼られていれば、加熱発泡材３４Ａ、４４Ａの膨張によって扉５との隙間を塞いで遮炎性能を確保できる。
さらに、加熱発泡材３４Ａ、４４Ａは、メインタイト材３５、４５の取付位置と、サブタイト材３６、４６を保持する屋内部材３２Ａ，４２Ａの保持片部との間に配置されているので、各タイト材３５，４５，３６，４６で隠れて視認し難くでき、意匠性を向上できる。また、サブタイト材３６、４６の屋外側を加熱発泡材５６５で塞ぎ、屋内側を加熱発泡材５６６、３４Ａ、４４Ａで塞ぐことができるので、遮炎性能を向上できる。
【００９１】
本発明において、加熱発泡材は前記実施形態の例に限定されない。例えば、屋内部材１２、３２、４２の中空部１２１、３２１、４２１の内部空間に補強リブ等を設け、この補強リブ等に加熱発泡材を設けてもよい。
また、屋内部材１２、３２、４２に設けられる加熱発泡材は、樹脂部品の同時押出成型で製造されるものに限定されず、同時押出成型以外の製法で樹脂部品に一体化されたものでもよいし、別途製造した加熱発泡材を樹脂部品に接着してもよい。
【００９２】
前記実施形態では、サブタイト材３６、４６はＴＰＯ製とし、メインタイト材３５、４５はＥＰＤＭ製やＰＶＣ製としていたが、これらの材質に限定されない。例えば、サブタイト材３６、４６や、メインタイト材３５、４５を、耐燃性の材質で構成してもよい。耐燃性の材質とは、燃焼に耐え得る性質を有する材質、具体的には、不燃性、難燃性、自己消火性、遅燃性等の燃えにくい材質を意味する。このような耐燃性の合成樹脂材でサブタイト材３６、４６を形成すれば、加熱発泡材５６５、５６６、３４、４４等と協働して遮炎性能をより向上できる。
【００９３】
本発明の建具は、採光部を備えないドア１であったが、採光部を有する扉５を用いてもよい。また、本発明の建具は、玄関ドアに限らず、勝手口ドアなど出入り口の各種ドアとして利用できる。この際、本発明は、親扉、子扉の２枚の扉が設けられた建具にも適用でき、さらには、引戸タイプの建具にも適用できる。
【符号の説明】
【００９４】
１…玄関ドア（建具）、２、２Ａ…ドア枠（建具枠）、５…扉（戸体）、１０、１０Ａ…上枠、２０…下枠、３０、３０Ａ…縦枠、４０、４０Ａ…縦枠、１４、３４、４４、１４Ａ、３４Ａ、４４Ａ、１４Ｃ、３４Ｃ、４４Ｃ、１４Ｄ、３４Ｄ、４４Ｄ…加熱発泡材（屋内側加熱発泡材）、１５、２５、３５、４５…メインタイト材、３６、４６…サブタイト材（タイト材）、５０…枠体、５１…屋外面材、５２…屋内面材、５３…断熱芯材、５６…樹脂エッジ材、６０…上骨、７０…下骨、８０、９０…縦骨、１２１Ｂ…ヒレ部（サブタイト材）、５６５…加熱発泡材（屋外側加熱発泡材）、５６６…加熱発泡材（屋内側加熱発泡材）。
【図１】
2018009333.tif 000003
【図２】
2018009333.tif 000004
【図３】
2018009333.tif 000005
【図４】
2018009333.tif 000006
【図５】
2018009333.tif 000007
【図６】
2018009333.tif 000008
【図７】
2018009333.tif 000009
【図８】
2018009333.tif 000010
【図９】
2018009333.tif 000011
【図１０】
2018009333.tif 000012
【図１１】
2018009333.tif 000013
【図１２】
2018009333.tif 000014
【図１３】
2018009333.tif 000015
【図１４】
2018009333.tif 000016
【図１５】
2018009333.tif 000017
【図１６】
2018009333.tif 000018
【図１７】
2018009333.tif 000019
【図１８】
2018009333.tif 000020
【図１９】
2018009333.tif 000021
【図２０】
2018009333.tif 000022